(57)【特許請求の範囲】
【請求項１】
液体に接触する面と、ガスが供給される面とを有する多孔質体を有し、前記ガスが供給される面に供給されたガスが、前記液体に接触する面に向かって前記多孔質体を通過することによって微細気泡として前記液体中に供給されるように構成された多孔質体アッセンブリであって、
ステンレス鋼の焼結金属からなる前記多孔質体と、
ステンレス鋼からなり、前記多孔質体を保持する多孔質体保持部材と、
前記多孔質体が前記多孔質体保持部材に保持されることにより前記多孔質体の表面の一部分に形成された前記多孔質体と前記多孔質体保持部材との接触面と、
前記多孔質体の表面の前記一部分以外の他の一部分と前記多孔質体保持部材との間に形成される溝と、を有し、
前記接触面はニッケルを主成分とする層を有することを特徴とする多孔質体アッセンブリ。
【請求項２】
前記ニッケルを主成分とする層の構成成分が、前記多孔質体の前記接触面の周囲に含まれていることを特徴とする請求項１記載の多孔質体アッセンブリ。
【請求項３】
前記ニッケルを主成分とする層が、前記溝を構成する前記多孔質体保持部材の表面に形成されていることを特徴とする請求項１または２に記載の多孔質体アッセンブリ。
【請求項４】
前記多孔質体アッセンブリの断面をみたときに、前記溝が四角形状であることを特徴とする請求項１ないし３のいずれか１項に記載の多孔質体アッセンブリ。
【請求項５】
前記多孔質体アッセンブリの断面をみたときに、前記溝が三角形状であることを特徴とする請求項１ないし３のいずれか１項に記載の多孔質体アッセンブリ。
【請求項６】
前記多孔質体アッセンブリの断面をみたときに、前記多孔質体保持部材が少なくとも２段の階段形状を有し、最下段に前記多孔質体の底面が接触して保持されていることを特徴とする請求項１ないし３のいずれか１項に記載の多孔質体アッセンブリ。
【請求項７】
前記多孔質体が円盤状であり、前記多孔質体保持部材が中空円盤状であり、前記多孔質体保持部材の内径が前記多孔質体の外径よりも大きく、前記多孔質体保持部材の中空部に前記多孔質体を嵌合することによって前記多孔質体の外周面の一部分と前記多孔質体保持部材の内周面の一部分が前記接触面を構成し、前記多孔質体の外周面の前記一部分以外の他の一部分と前記多孔質体保持部材との間に前記溝を有することを特徴とする請求項１ないし６のいずれか１項に記載の多孔質体アッセンブリ。
【請求項８】
前記多孔質体のろ過精度が０．１〜１２０μｍであることを特徴とする請求項１ないし７のいずれか１項に記載の多孔質体アッセンブリ。
【請求項９】
前記ガスが、水素、酸素、二酸化炭素または過酸化水素ガスであることを特徴とする請求項１ないし８のいずれか１項に記載の多孔質体アッセンブリ。
【請求項１０】
前記微細気泡の平均粒径が、１００〜２００ｎｍであることを特徴とする請求項１ないし９のいずれか１項に記載の多孔質体アッセンブリ。
【請求項１１】
液体に接触する面と、ガスが供給される面とを有する多孔質体を有し、前記ガスが供給される面に供給されたガスが、前記液体に接触する面に向かって前記多孔質体を通過することによって微細気泡として前記液体中に供給されるように構成された多孔質体アッセンブリの製造方法であって、
ステンレス鋼の焼結金属からなる前記多孔質体と、ステンレス鋼からなり、前記多孔質体を保持する多孔質体保持部材と、を準備し、
前記多孔質体が円盤状であり、前記多孔質体保持部材が中空円盤状であり、前記多孔質体保持部材の内径が前記多孔質体の外径よりも大きく、前記多孔質体保持部材の中空部に前記多孔質体を嵌合することによって前記多孔質体の外周面の一部分と前記多孔質体保持部材の内周面の一部分とで接触面を構成し、前記多孔質体の外周面の前記一部分以外の他の一部分と前記多孔質体保持部材との間に溝が形成され、前記溝にニッケルを主成分とする合金を含むろう材を充填し、加熱して前記多孔質体と前記多孔質体保持部材とをろう付けによって接合することを特徴とする多孔質体アッセンブリの製造方法。
【請求項１２】
前記ろう材は、ニッケルろうと有機溶剤との混合物であり、前記溝に前記混合物を充填してろう付けすることを特徴とする請求項１１記載の多孔質体アッセンブリの製造方法。
【発明の詳細な説明】
【技術分野】
【０００１】
本発明は、ファインバブル（微細気泡）液を生成するための多孔質体アッセンブリおよびその製造方法に係り、特に１００〜２００ｎｍサイズの微細気泡を含有するファインバブル液を生成するために好適な多孔質体アッセンブリおよびその製造方法に関する。
【背景技術】
【０００２】
水などの液体に水素、酸素および二酸化炭素などの微細気泡（ファインバブル）を含有させた液（ファインバブル液）は、飲用に供した場合には、抗酸化作用などが期待され、また、肌などに使用した場合には美容効果も期待されている。
【０００３】
従来、水素水の製造には、例えば、特許文献１および２に記載のものが提案されている。特許文献１では、多孔質板を介して水素ガスなどの気体を水や所定の溶液中に供給することにより、水素ガスなどの気体をナノメートルオーダーの微粒気泡として水や所定の溶液中に溶解若しくは溶存させて、ナノバブル水やフォームを生成する装置が提案されている。また、特許文献２には、飲料用水素水生成用のポットにおいて、多孔質性の無機材（セラミック材、ガラス材またはプラスチック材）を用いて微細な気泡を液中に分散させることが開示されている。
【先行技術文献】
【特許文献】
【０００４】
【特許文献１】特開２０１４‐２２６６１６号公報
【特許文献２】登録実用新案第３１９７６１３号公報
【発明の概要】
【発明が解決しようとする課題】
【０００５】
上述した特許文献に記載の多孔質板や多孔質性の無機材など（以下、「多孔質体」と称する。）をファインバブル液生成装置に組み込む方法としては、多孔質体を保持部材（取付部材）に保持し、該保持部材をファインバブル液生成装置に取り付ける方法が簡便であると考えられる。この際、多孔質体と保持部材との接合が十分でなく、多孔質体と保持部材との間に多孔質体の微細孔よりも大きな隙間（クラック）があると、間隙から液へガスが流出する結果、液に供給される気泡のサイズを微細（マイクロメートルおよびナノメートルオーダー）に保つことができなくなる。
【０００６】
金属製の多孔質体および保持部材を接合する方法としては、溶接、パッキンおよびかしめ等が一般的であるが、これらの方法では多孔質体と保持部材との接合が十分でない可能性がある。また、多孔質体と保持部材とを有機性の接着剤で接合した場合、接着剤の成分は人体に有害であるおそれがあるため、ファインバブル液を飲用に供することができなくなる。
【０００７】
上述した特許文献には、多孔質体と保持部材との接合については何ら検討されていない。
【０００８】
本発明の目的は、上記事情に鑑み、有機性の接着剤を含まず、多孔質体と多孔質体保持部材との接合性が高く、ファインバブル液を生成することが可能な多孔質体アッセンブリおよびその製造方法を提供することにある。
【課題を解決するための手段】
【０００９】
本発明に係る多孔質体アッセンブリは、液体に接触する面と、ガスが供給される面とを有する多孔質体を有し、上記ガスが供給される面に供給されたガスが、上記液体に接触する面に向かって上記多孔質体を通過することによって微細気泡として上記液体中に供給されるように構成された多孔質体アッセンブリであって、ステンレス鋼の焼結金属からなる上記多孔質体と、ステンレス鋼からなり、上記多孔質体を保持する多孔質体保持部材と、上記多孔質体が上記多孔質体保持部材に保持されることにより上記多孔質体の表面の一部分に形成された上記多孔質体と上記多孔質体保持部材との接触面と、上記多孔質体の表面の上記一部分以外の他の一部分と上記多孔質体保持部材との間に形成される溝と、を有し、上記接触面はニッケルを主成分とする層を有することを特徴とする。
【００１０】
また、本発明に係る多孔質体アッセンブリの製造方法は、液体に接触する面と、ガスが供給される面とを有する多孔質体を有し、上記ガスが供給される面に供給されたガスが、上記液体に接触する面に向かって上記多孔質体を通過することによって微細気泡として上記液体中に供給されるように構成された多孔質体アッセンブリの製造方法であって、ステンレス鋼の焼結金属からなる上記多孔質体と、ステンレス鋼からなり、上記多孔質体を保持する多孔質体保持部材と、を準備し、上記多孔質体を上記多孔質体保持部材に接触させ、接触部にニッケルを主成分とする合金を含むろう材を配置し、加熱して上記多孔質体と上記多孔質体保持部材とをろう付けによって接合することを特徴とする。
【発明の効果】
【００１１】
本発明によれば、有機性の接着剤を含まず、多孔質体と多孔質体保持部材との接合性が高く、ファインバブル液を生成することが可能な多孔質体アッセンブリおよびその製造方法を提供することが可能となる。上記した以外の課題、構成及び効果は、以下の実施形態の説明により明らかにされる。
【図面の簡単な説明】
【００１２】
【図１】本発明の一実施例のファインバブル水素水生成器の断面図。
【図２】本発明の一実施例のファインバブル水素水生成器の側面図。
【図３】本発明の一実施例のファインバブル水素水生成器の部品と組立を説明する図。
【図４】本発明の一実施例のファインバブル水素水生成器の部品と組立を説明する図。
【図５】本発明の一実施例のファインバブル水素水生成器の部品と組立を説明する図。
【図６】本発明の一実施例のファインバブル水素水生成器の部品と組立を説明する図。
【図７】本発明の一実施例の浴槽用微細気泡発生器の断面図。
【図８】本発明の一実施例の浴槽用微細気泡発生器の平面図。
【図９】本発明の一実施例の浴槽用微細気泡発生器の側面図。
【図１０】本発明の一実施例の浴槽用微細気泡発生器の部品と組立を説明する図。
【図１１】本発明の一実施例の浴槽用微細気泡発生器の部品と組立を説明する図。
【図１２】本発明の一実施例の浴槽用微細気泡発生器の部品と組立を説明する図。
【図１３】本発明に係る多孔質体アッセンブリの第１の例を示す上面図および断面図。
【図１４】本発明に係る多孔質体アッセンブリの第２の例を示す上面図および断面図。
【図１５】本発明に係る多孔質体アッセンブリの第３の例を示す上面図および断面図。
【図１６】本発明に係る多孔質体アッセンブリの製造フローの一例を模式的に示す図。
【図１７】本発明に係る多孔質体アッセンブリの概要を説明する断面模式図。
【図１８】実施例１における水素水生成器における水素の粒径測定結果を示すグラフ。
【図１９】実施例１における水素水生成器における水素濃度を示すグラフ。
【図２０Ａ】一般的なろう付け工程の一例を示す側面図である。
【図２０Ｂ】一般的なろう付け工程の他の例を示す側面図である。
【発明を実施するための形態】
【００１３】
以下、本発明の実施形態について、図面を参照しながら詳細に説明する。ただし、本発明は以下の実施形態に限定されるものではなく、発明の要旨を変更しない範囲で改良および変更を加えることが可能である。
【００１４】
［多孔質体アッセンブリおよび多孔質体アッセンブリの製造方法］
まず始めに、本発明に係る多孔質体アッセンブリの概要について説明する。図１７は本発明に係る多孔質体アッセンブリの概要を説明する断面模式図である。図１７に示すように、多孔質体アッセンブリを構成する多孔質体４００は、液体４０３に接触する面４０１と、ガス４０４が供給される面４０２とを有する。ガス４０４が供給される面４０２に供給されたガスが、液体４０３に接触する面４０１に向かって（図１７の矢印の方向に向かって）多孔質体４００が有する微細孔を通過することによって微細気泡４０５として液体４０３中に供給されるように構成されている。ガス４０４は、多孔質体４００の微細孔を通過する際に加速されて高速で液体４０３と接触する。これにより、多孔質体４００と液体４０３との界面においてキャビテーションが発生し、微細気泡（マイクロバブル、ナノバブル）４０５が発生する。
【００１５】
本発明に係る多孔質体アッセンブリは、上述した多孔質体と、該多孔質体を保持する多孔質体保持部材（図１７では図示していない）で構成される。多孔質体保持部材によって、多孔質体をさまざまな部材（被取付部材）に取り付けることができる。被取付部材に特に限定はなく、ファインバブル液の用途（飲用、美容・健康用および医療用など）に応じて選択することができる。例えば、ファインバブル液が飲用であれば、水などの飲用の液体を収容する液体容器に取り付けることでファインバブルを含む飲料を提供することができる。また、ファインバブル液が美容・健康用であれば、浴槽に取り付けることでファインバブルを含む入浴液を提供することができる。
【００１６】
ガス４０４としては、特に限定は無く、上述した被取付部材と同様、ファインバブル液の用途に応じて選択することができる。具体例としては、水素、酸素、二酸化炭素および過酸化水素ガスなどが挙げられる。
【００１７】
次に、本発明に係る多孔質体アッセンブリの詳細な構造について説明する。図１３は本発明に係る多孔質体アッセンブリの第１の例を示す上面図および断面図である。図１３に示すように、本発明に係る多孔質体アッセンブリ３００ａは、ステンレス鋼の焼結金属からなる多孔質体３０１と、ステンレス鋼からなり、多孔質体３０１を保持する多孔質体保持部材３０２ａを有する。本例において、多孔質体３０１は円盤状であり、多孔質体保持部材３０２ａは中空円盤状である。多孔質体３０１は、多孔質体保持部材３０２ａの内側（中空部）に保持（嵌合）されることにより、多孔質体３０１の外周面の一部分に、多孔質体３０１と多孔質体保持部材３０２ａとの接触面が形成される。また、多孔質体３０１の外周面の他の部分（接触面とならない部分）と多孔質体保持部材３０２ａとの間に溝３０３ａを有する。本例では、溝３０３ａは、多孔質体アッセンブリ３００ａの断面をみたときに四角形状を有している。そして、接触面はニッケル（Ｎｉ）を主成分とする層３０６ａを有する。このＮｉを主成分とする層３０６ａは、多孔質体３０１と多孔質体保持部材３０２ａとをＮｉを主成分とする合金（以下、「Ｎｉろう」と称する。）を含むろう材を用いてろう付けしたことに由来するものである。このような接合によって、本発明に係る多孔質体アッセンブリは、有害性の高い有機性接着剤を使用せず、多孔質体３０１と多孔質体保持部材３０２ａとの高い接合性を実現し、液体中への微細気泡（特に１００〜２００ｎｍ）の生成を実現している。
【００１８】
本発明では、多孔質体３０１および多孔質体保持部材３０２ａの材料としてステンレス鋼を用いる。多孔質体３０１として、ステンレスの焼結金属以外に、銅の焼結金属や焼結セラミックスなどを用いることもできるが、ファインバブル液を飲用に供することを考慮した場合、ステンレス製の焼結金属が望ましい。
【００１９】
次に、本発明に係る多孔質体アッセンブリの製造方法（多孔質体と多孔質体保持部材の接合方法）について説明する。図１６は、本発明に係る多孔質体アッセンブリの製造フローの一例を模式的に示す図である。図１６に示すように、本発明に係る多孔質体アッセンブリ３００の製造方法は、多孔質体３０１と多孔質体保持部材３０２ａを準備し、多孔質体３０１を多孔質体保持部材３０２ａに保持して接触させ（工程（ａ））、接触部（溝３０３ａ）にろう材３０５を配置（充填）し（工程（ｂ））、加熱することで多孔質体３０１と多孔質体保持部材３０２ａをろう付けによって接合する（工程（ｃ））。ろう材を充填する工程（ｂ）および加熱する工程（ｃ）は、２回以上行ってもよい。
【００２０】
ここで、一般的なろう付けの方法について説明する。図２０Ａおよび２０Ｂは、一般的なろう付けの例を示す側面図である。図２０Ａおよび２０Ｂに示すように、一般的なろう付けでは、被接合部材２０２ａおよび２０２ｂの接合部分２０３に、ワイヤ状のろう材２０１ａを供給しながら、接合部分２０３をバーナーなどで加熱することで被接合部材を接合するか、または接合部分２０３に粉末状のろう材２０１ｂを配置し、被接合部材を電気炉などで加熱することで被接合部材を接合する。しかしながら、このような方法は金属の緻密体同士の接合に適用されるものであり、本発明のように金属の緻密体と多孔質体を接合する場合には、この方法を適用しても多孔質体にろう材が流出する結果、十分な接合性を得ることができない。
【００２１】
これに対し、本発明は、溝３０３ａに従来のろう付けよりも多量のろう材を充填して加熱することで多孔質体３０１と多孔質体保持部材３０２ａを接合する。このように多量のろう材を充填することで、被接合部材の一方が多孔質体であっても十分な接合性を得ることができる。このため、溝３０３ａは多量のろう材を充填することが可能な構成である必要がある。この点で、本願発明の接合体（多孔質体３０１と多孔質体保持部材３０２ａの接合体）の構造は、従来のろう材を用いた接合体とは異なる。
【００２２】
図１６（ｂ）に示すように、ろう材３０５を溝３０３ａに充填するため、加熱後にろう材に由来するＮｉ金属を主成分とする層は、図１３の３０６ａのみならず、溝を構成する多孔質体保持部材３０２ａの表面にも形成される（３０６ｂ）。また、ろう材が多孔質体３０１の微細孔にも染み込むことによって、図示しないが、Ｎｉ金属を主成分とする層を構成する合金が多孔質体３０１の接触面の周囲にも含まれている。
【００２３】
ろう材としては、溝３０３ａに充填するために、Ｎｉろうの粉末と有機溶剤とを混合した混合物（ペースト）を用いることが好ましい。本発明においてＮｉろうの粉末を用いるのは、Ｎｉろうの主成分であるＮｉは被接合部材である多孔質体３０１および多孔質体保持部材３０２ａ（ステンレス鋼）の構成成分であり、これらの部材との接合性が高いためである。本発明者らの検討の結果、Ａｇろうでは本発明に係る多孔質体３０１および多孔質体保持部材３０２ａの接合性を高めることはできないことがわかっている。なお、ろう材の充填方法について特に限定は無いが、例えばディスペンサーを用いることができる。
【００２４】
Ｎｉろうの組成は、特に限定はなく、例えば、ＪＩＳ（Ｊａｐａｎｅｓｅ  Ｉｎｄｕｓｔｒｉａｌ  Ｓｔａｎｄａｒｄｓ）規格に規定されているＢＮｉ‐２を用いることができる。また、有機溶剤も特に限定はなく、Ｎｉろうのバインダーとなるものであればよい。例えば、エチルセルロースを主成分とするＮＩＣＲＯＢＲＡＺ  ＣＥＭＥＮＴ  Ｓ（株式会社ハードフェースウエルドカンパニー）を用いることができる。
【００２５】
Ｎｉろう粉末の添加量は、ろう材（Ｎｉろう粉末と有機溶剤）の８〜１０質量％であることが好ましい。接合に必要なろう材の量は、多孔質体３０１および多孔質体保持部材３０２ａのサイズと多孔質体３０１の微細孔のサイズによって決定することが好ましい。図１３に示す形状の多孔質体アセンブリのサイズと接合に必要なろう材の量の一例を以下の表１に示す。
【００２６】
【表１】
0005947436.tif 000002
【００２７】
なお、表１の多孔質体と同じサイズのステンレス鋼の円盤および表１の多孔質体保持部材と同じサイズのステンレス鋼の中空円盤を従来の方法でろう付けする際に必要なＮｉろうの量を本発明者らが見積もったところ、約１．７ｇ（０．２ｃｃ）であった。
【００２８】
ろう付けの際の熱処理条件には特に限定はなく、ステンレス鋼をＮｉろうで接合する際の一般的なろう付けの温度および雰囲気で行うことができる。
【００２９】
多孔質体３０１のろ過精度は０．１〜１２０μｍが好適であり、より好ましくは１〜２０μｍが好適である。このような焼結金属板としては、例えば、ＳＭＣ株式会社製の公称ろ過精度１，２，５，１０，２０μｍの焼結金属エレメントが用いられる。なお、本明細書において「ろ過精度」とは、多孔質体の微細孔が通過させない粒子のサイズを意味するものとする。また、多孔質体３０１と液体との界面においてキャビテーションを効果的に発生させるためには、多孔質体３０１内をガスが通過する際に効果的に加速されるようにするのが良い。このためには、多孔質体３０１の厚みをある程度の大きさとした方が良い。本発明者らの検討によれば、多孔質体３０１の厚みを５ｍｍ以上とするのが良い。
【００３０】
次に、本発明に係る多孔質体アッセンブリの別の形態について説明する。図１４は本発明に係る多孔質体アッセンブリの第２の例を示す上面図および断面図である。図１４に示す多孔質体アッセンブリ３００ｂの溝３０３ｂは、多孔質体アッセンブリ３００ｂの断面をみたときに三角形状を有している。溝がこのような形態を有していても、図１３の場合と同様の効果を得ることができる。
【００３１】
図１５は本発明に係る多孔質体アッセンブリの第３の例を示す上面図および断面図である。図１５に示す多孔質体アッセンブリ３００ｃは、その断面をみたときに、多孔質体保持部材３０２ｃが少なくとも２段の階段形状を有し、最下段に多孔質体３０１の底面が接触して保持されている。多孔質体保持部材３０２ｃをこのような形状とすることで多孔質体３０１と多孔質体保持部材３０２ｃの接合時のずれを防止し、多孔質体３０１の全周において均一に接合することができる。
【００３２】
［ファインバブル液生成器］
次に、本発明に係る多孔質体アッセンブリを適用したファインバブル液生成器の一例について説明する。図１〜６では、ファインバブル液生成器としてファインバブル水素水生成器を説明する。本実施形態のファインバブル水素水生成器は、飲用に供することが可能な水素水を生成するものである。
【００３３】
図１に示すように、本実施形態のファインバブル水素水生成器は、飲用に供する水を収容する水素水容器１、水素水容器１の上部を覆う蓋２、水素水容器１を支持し、水素ガス昇圧室となる密閉容器を構成するベース３、ベース３に取り外し可能に装着され、水素発生剤を収容する薬剤収容部（薬室）４、薬剤収容部４に装着される蓋を押圧して薬剤収容部を密閉する密閉用蓋取付具５から構成されている。
【００３４】
水素水容器１は、図１および図３に示すように、基本的な構成として、筒状の水素水容器本体１１と、水素水容器本体１１の下方（本実施例では底面）に取り付けられた多孔質板（焼結金属板、上述した多孔質体）１４で構成されている。水素水容器本体１１には水素水容器用把手１２が側面に取り付けられている。水素水容器本体１１はポリカーボネート樹脂などの透明な部材で構成されており、水素微細気泡発生が視覚により確認できるようにしている。
【００３５】
多孔質板１４は、後述の水素ガス昇圧室３０からの水素ガスを微細気泡（ファインバブル）として水素水容器１内の水に溶存させる働きを有する。多孔質板１４の詳細については後述する。多孔質板１４は、多孔質板（焼結金属板）取付部１３を介して水素水容器本体１１に取り付けられ、水素水容器本体１１と共に水素水生成室（水素水収容部）１０を形成する。多孔質板取付部１３は、水素水容器本体１１の下端が嵌入され、水素水容器本体１１と一体になっている。この意味では、多孔質板取付部１３を含めて水素水容器本体１１と捉えることができる。多孔質板取付部１３には、多孔質板１４を取り付けるためのボルト穴が形成されており、また、ベース３のベース開口部３９に挿入される筒状の挿入部１８が設けられている。
【００３６】
多孔質板１４は、円形状に形成され、リング状の多孔質板取付用サポート（上述した多孔質体保持部材）１４ｓに固着されて多孔質体アッセンブリを構成している。多孔質板１４は、多孔質板取付用サポート１４ｓを介して、固定ボルト１６を用いて多孔質板取付部１３に固定され、水素水容器１の底面の開口部１３ａ（多孔質板取付部１３に形成される開口部１３ａ）を塞ぎ、水素水容器本体１１と共に水素水容器１を構成している。なお、多孔質板１４は円形に限定されるものではなく、例えば、正方形状に形成しても良い。多孔質板取付用サポート１４ｓと多孔質板取付部１３との間にパッキン１５が装着され、多孔質板１４内の微細孔以外は、水素ガス昇圧室３０の気密が保持されるようになっている。
【００３７】
また、水素水容器本体１１の周方向の位置決めを行うための位置決め用突起１９が挿入部１８に設けられている。位置決め用突起１９がベース３の位置決め用凹部３８に挿入されることによって、水素水容器本体１１はベース３に対して所定の周方向位置に位置決めされる。本実施形態では、給水ノズル１７ａが薬剤収容部密閉用カムハンドル５１とは反対側に位置するように水素水容器本体１１の周方向位置が位置決めされている。
【００３８】
水素水容器本体１１の下方には給水ノズル１７ａが取り付けられている。給水ノズル１７ａからの給水は弁体１７ｅにより給水路を開閉することにより行うようにしている。弁体１７ｅは、給水路が形成された弁体収容部１７ｆに装着される。弁体１７ｅは給水レバー１７ｂの先端に固着されており、弁体１７ｅと給水レバー１７ｂとの間には圧縮ばね１７ｄと貫通孔が形成されたプラグ１７ｃが装着されている。プラグ１７ｃの外周には、弁体収容部１７ｆの内周に形成された雌ねじと螺合する雄ねじが形成されている。プラグ１７ｃを弁体収容部１７ｆに装着することにより、弁体１７ｅが、圧縮ばね１７ｄを介して水素水容器本体１１側方向に常時押し付けられ、弁体収容部１７ｆに形成された給水路を閉止するようになっている。給水レバー１７ｂを水素水容器本体１１側とは反対の方向に引っ張ることにより、給水レバー１７ｂの先端に固着された弁体１７ｅが圧縮ばねの力に抗して移動して給水路が開放され、給水ノズル１７ａから、水素水容器本体１１内の水素水が給水される（給水レバーを操作することによる給水ノズル方式）。なお、本実施形態では、給水ノズル１７ａからの給水以外に、水素水容器用把手１２により水素水容器本体１１をベース１３から持ち上げ、水素水容器本体１１を傾けることにより、水素水容器本体１１の上端に形成された注ぎ口から水素水を給水することも可能である（水素水容器用把手を用いてのジョッキ方式）。
【００３９】
蓋２は、蓋本体２２と、蓋本体２２の上面に設けられた蓋用把手２１と、蓋本体２２の下面に複数のスペーサ２３を介して設けられた管状の挿入部２４とから構成されている。蓋２の挿入部２４は、水素水容器本体１１の上端側にスライドして挿入されるように構成されている。スペーサ２３は、蓋本体２２が水素水容器本体１１の上端に密着しないようにして、水素水容器１内の水素水から放出された水素ガスを外部に放出できるようにしている。詳細は後述するが、本実施形態のファインバブル水素水生成器は、多孔質板１４を用いることにより水素ガスをファインバブル化（マイクロバブル化やナノバブル化）して水中に溶存させている。すなわち、本実施形態のファインバブル水素水生成器は、水素水容器１を密閉する必要がない常圧型の水素水生成器である。
【００４０】
水素ガス昇圧室３０を構成する密閉容器を構成するベース３は、図１及び図４に示すように、多孔質板取付部１３（水素水容器１）の挿入部１８が挿入されるベース開口部３９を有するベース本体３１と、密閉用蓋取付具５が装着される密閉用蓋取付具装着部３６と、薬剤収容部４が装着される薬剤収容部装着部３７と、水素ガス流路構成部３５を有している。ベース開口部３９にはＯリング３３が装着されるリング溝３３ｇが形成されている。また、ベース本体３１の内周上部には、上述したように、位置決め用突起１９が挿入される位置決め用凹部３８が形成されている。
【００４１】
密閉用蓋取付具装着部３６と薬剤収容部装着部３７は、リング溝３３ｇの位置よりも下方に設けられ、ベース本体３１の内側に突出するように設けられている。密閉用蓋取付具装着部３６には、密閉用蓋取付具５のカム部５４が薬剤収容部装着部３７側に突出することができるように開口部３６ａが形成されている。密閉用蓋取付具装着部３６は水素ガス昇圧室３０には連通することがない。
【００４２】
薬剤収容部装着部３７は、密閉用蓋取付具装着部３６と水素ガス流路構成部３５との間に位置し、本実施例では、密閉用蓋取付具装着部３６と水素ガス流路構成部３５を構成する部材の一部（密閉用蓋取付具装着部３６の底面と水素ガス流路構成部３５の上面）が薬剤収容部装着部３７の上面と底面も構成している。この薬剤収容部装着部３７も水素ガス昇圧室３０には連通することがない。
【００４３】
水素ガス流路構成部材３５には水素ガス流路３５ａ，３５ｂ，３５ｃが形成されている。本実施形態では、水素ガス流路３５ｃは、水素ガス流路構成部材３５の上面に形成された凹部と後述の薬剤収容部４の薬剤収容部用箱（薬室箱）４１の底面との間に形成され、薬剤収容部４の水素ガス導入孔４６に連通するようになっている。水素ガス流路３５ａ，３５ｂ，３５ｃは、薬剤収容部４の水素ガス発生室４０と水素ガス昇圧室３０とを気密に連通し、水素ガス発生室４０で発生した水素ガスを水素ガス昇圧室３０に導入する。
【００４４】
本実施形態では、水素水容器１とベース３とを分離可能に構成しているので、多孔質板１４内の微細孔以外の水素ガス昇圧室３０の気密性を確保するために、多孔質板取付部１３（水素水容器１）の挿入部１８とベース本体３１（ベース３）のベース開口部３９との間にＯリング３３を設置している。本実施形態では気密性を確実にするためにダブルＯリングによるシール構成としている。水素ガス昇圧室３０は、基本的な構成として、ベース本体３１と多孔質板１４とで構成され、多孔質板１４の微細孔以外の箇所から水素ガスの漏洩を防止するために、Ｏリング３３やパッキン１５などが用いられている。
【００４５】
本実施形態では、薬剤収容部４を水素ガス昇圧室３０とは別に設けているが、水素ガス昇圧室３０内に薬剤収容部４を設けるようにしても良い。但し、詳細は後述するが、ベース本体３１に対して薬剤収容部４を取り外し可能に装着することにより、水素発生剤の取り扱い性が向上する。
【００４６】
ベース３の薬剤収容部装着部３７にスライド式で取り外し可能に装着され薬剤収容部（薬室）４は、図１及び図５に示すように、基本構成として、水素ガス発生室４０を構成する薬剤収容部用箱（薬室箱）４１及び薬剤収容部用蓋（薬室箱蓋）４２と、薬剤収容部用箱４１をベース３の薬剤収容部装着部３７から出し入れする際に用いる薬剤収容部用把手４３を有する。
【００４７】
薬剤収容部用箱４１の側壁部には水素ガス発生室４０と水素ガス流路３５ｃとを連通させるための水素ガス導入孔４６が形成されている。水素ガス導入孔４６は、薬剤収容部用箱４１の上部側で水素ガス発生室４０から斜め下方に延在し薬剤収容部用箱４１の側壁を貫通しないように形成された水素ガス導入孔４６ａと、この水素ガス導入孔４６ａから下方に延在し薬剤収容部用箱４１の底面を貫通するように形成された水素ガス導入孔４６ｂとから構成されている。薬剤収容部用箱４１の水素ガス発生室４０内には薬剤（水素発生剤）４４が収容される。
【００４８】
水素ガス発生室４０を気密に保つために、薬剤収容部用箱４１及び薬剤収容部用蓋４２との間にＯリング４５を装着している。Ｏリング４５は、薬剤収容部用箱４１の上端面に形成したリング溝４５ｇに装着される。また、薬剤収容部４をベース３に対して取り外し可能に構成しているので、薬剤収容部４側の水素ガス発生室４０とベース３側の水素ガス昇圧室３０とを気密に連通させるために、水素ガス流路３５ｃを構成する水素ガス流路構成部材３５と薬剤収容部用箱４１との間にもＯリング４５を装着している。Ｏリング４５は水素ガス流路３５ｃと水素ガス導入路４６との交点の外側に位置するように設けられ、水素ガス流路３５ｃの気密性を確保している。薬剤収容部用蓋４２は後述の密閉用蓋取付具５によって薬剤収容部用箱４１側に押し付けられる。これによって、上下のＯリング４５に押圧力が加わり、シール機能が働くようになっている。なお、水素ガス導入孔４６は、Ｏリング４５の位置を工夫することにより、側壁以外の箇所に設けることも可能であるが、取扱いの利便性などを考慮すると側壁部に設けることが望ましい。
【００４９】
薬剤収容部用蓋４２を薬剤収容部用箱４１側に押し付け水素ガス発生室４０を密閉空間にする働きを有する密閉用蓋取付具５は、図１及び図６に示すように、密閉用カムハンドル５１と、密閉用カム５２と、密閉用カムハンドル５１と密閉用カム５２を固定するカムハンドル固定ボルト５３から構成されている。カムハンドル固定ボルト５３は座金５５を介して密閉用カム５２に形成されたボルト穴に螺合される。密閉用カム５２にはカム部５４が形成されており、カム部５４は密閉用カムハンドル５１を回転させることにより密閉用蓋取付具装着部３６の開口部３６ａを介して薬剤収容部装着部３７側に突出し、薬剤収容部用蓋４２を押圧するようになっている。図２に実線で示している密閉用カムハンドル５１の状態（ハンドル縦方向）はカム部５４が薬剤収容部用蓋４２を押圧して薬剤収容部を固定している状態を示し、二点鎖線で示している密閉用カムハンドル５１の状態（ハンドル横方向）は固定を解除した状態を示している。固定を解除した後、薬剤収容部用把手４３を持って手前側に引くことにより、薬剤収容部４がベース３から容易に取り外しできる。また、逆に、薬剤収容部４に薬剤４４を収容し、所定量の水を加えた後に、薬剤収容部用蓋４２を被せた薬剤収容部４をベース３の薬剤収容部装着部３７に押し込み、密閉用カムハンドル５１を９０度回転させるという簡単な操作で、薬剤収容部用箱４１を薬剤収容部用蓋４２により密閉、すなわち、水素ガス発生室４０を密閉することが可能である。密閉用蓋取付具５は本実施例のようなカムハンドル式に限定されるものではなく、クランプ式のような他の構成でも良いが、操作の簡易性を考慮すると、カムハンドル式が好適である。
【００５０】
次に、本実施例における水素のファインバブルを水中に生成させる原理について説明する。
【００５１】
（１）薬剤収容部４の薬剤収容部用箱（薬室箱）４１内に薬剤（水素発生剤）４４を設置し、所定量の反応水を投入する。そして、上述したように、薬剤収容部４をベース３の薬剤収容部装着部３７に装着し、密閉用蓋取付具５により固定する。
【００５２】
水素発生剤４４は、水と反応して水素ガスを発生させる薬剤である。例えば、微粉末状の酸化カルシウムとアルミニウムの混合物が用いられる。酸化カルシウムが反応水と反応し、水酸化カルシウムに変化するとともに発熱し、微粉末状のアルミニウムと反応水が反応し、水素を発生させる。
【００５３】
（２）水素ガス発生室４０内で発生した水素ガスは、薬剤収容部用箱（薬室箱）４１上部の水素ガス導入孔４６ａに導かれ、そして、水素ガス導入孔４６ｂを介して下部へ導かれ、さらに、水素ガス流路３５ｃ，３５ｂ，３５ａを介して水素ガス昇圧室３０に導かれる。これにより水素ガス昇圧室３０に水素ガスが溜まる。
【００５４】
（３）薬剤収容部用箱４１内の水素発生剤の反応が進むことにより水素ガス昇圧室３０内の昇圧が進行する。
【００５５】
（４）水素水容器１内の水による水頭圧より水素ガス昇圧室３０内の圧力が高くなった段階で、水素ガスが多孔質板（焼結金属板）１４内の狭路（微細孔）を通り水素水容器１内の水素ガスが放出される。これにより水素ガスの微細気泡が水中に発生する。
【００５６】
（５）水素ガスは多孔質板（焼結金属板）１４内の狭路（微細孔）を通過する際に加速され高速で水素水容器１内の水と接触することになる。これにより多孔質板（焼結金属板）１４と水素水容器１内の水との界面においてキャビテーションが発生し、マイクロバブル、ナノバブルが生成する。
【００５７】
水素のマイクロバブルは水中を上昇することにより気液接触面から水素が水中に溶け出し、水中の溶存水素となり水中の溶存水素量を高める。
【００５８】
水素のナノバブルは水中に浮遊し水中の溶存水素量を更に高める効果を持つ。
水素のファインバブルを水中に効果的に生成させるには、多孔質板（焼結金属板）１４と水素ガス昇圧室３０が重要な働きをする。
【００５９】
前述のように構成した焼結金属板１４を用いることにより、水素水容器１内の水の水頭圧を焼結金属板１４で保持することができ、水素ガス昇圧室３０内に水素ガスを導入する前でも、焼結金属板１４の微細孔を介して水素ガス昇圧室３０内に水素水容器１内の水が滴下することを防止することができる。
【００６０】
また、水素水容器内の水素水の水素濃度は、開口部１３ａの開口面積を大きくすることにより容易に高めることができる。すなわち、開口面積が大きいということは、多孔質板１４内の微細孔により構成される水素ガス供給孔がより多くなることを意味し、開口部１３ａの開口面積の増大に従い、水素水の水素濃度が高められる。
【００６１】
また、水素ガス昇圧室３０内から多孔質板１４を介して水素水容器１内に水素ガスを供給する上で、多孔質板１４と多孔質板取付用サポート１４ｓとの接続が重要となる。パッキン１５やＯリング３３などで気密性を高めても、多孔質板１４と多孔質板取付用サポート１４ｓとの接続が不十分な場合には、接続が不十分な箇所を介して水素ガスが水素ガス昇圧室３０内から水素水容器本体１内の水に放出される。このような接続が不十分な箇所を通過した水素はバブル径がｍｍサイズと大きく、また、キャビテーションによるファインバブル化の効果も期待できない。また、接続が不十分な箇所に水素ガスの流れが集中するため、多孔質板１４内を通過する水素ガスの量が低下し、効果的に水素のファインバブルを水中に発生させることが難しくなる。
【００６２】
一方、多孔質板１４としてステンレスの焼結金属板を用いるのが望ましいが、ステンレスの焼結金属板１４と多孔質板取付用サポート１４ｓ（ステンレス製）を溶接で接合した場合には、焼結金属板にクラックの発生が懸念され、また、水素水を引用に供する場合には接着剤を用いて接続することも避けなければならない。
【００６３】
そこで、上述したように、本発明ではステンレス鋼からなる焼結金属板１４と多孔質板取付用サポート１４ｓ（ステンレス製）をＮｉろう付けにより接続している。ここで、多孔質板取付用サポート１４ｓが図１４に示す形状（溝の断面が三角形状）の場合、１度のニッケルろう付けだと、Ｎｉろうが焼結金属板１４に浸透してしまい、焼結金属板１４と多孔質板取付用サポート１４ｓとの間に十分なＮｉろうが供給されず接続が十分に行われないことも懸念される。そこで、Ｎｉろう付けを２度行うことにより、焼結金属板１４と多孔質板取付用サポート１４ｓとの間に空隙を生じさせずに接続することができるようにしている。この方法によれば、焼結金属板にクラックを生じさせることがなく、飲用に供する水素水の生成にも支障がない。
【００６４】
また、本実施形態において、薬剤収容部用箱４１内の水素発生剤は反応水と反応することで水素を発生するが、安定して反応が継続するとは限らない。このため、水素ガス昇圧室３０の容積を大きくし、充分量の水素ガスを溜めるように構成することにより、水素ガス昇圧室３０内から多孔質板１４を介して水素水容器１に水素を安定的に放出することができ、そして安定的に水素を微細気泡化できる。水素ガス昇圧室３０の容積は、少なくとも水素ガス発生室４０内の容積よりも大きく形成されている。
【００６５】
上述した本実施形態によれば、逆止弁を用いることなく、また、水素ガスボンベを用いることなく、水素ガスを含有した水素水を生成することが可能となる。また、水素水を生成するのに電源が不要であり、取扱い性に優れている。
【００６６】
また、本実施形態では、水素ガス昇圧室３０と水素ガス発生室４０を別に構成し、水素ガス流路で連通させる構成としているので、水素ガス昇圧室３０内に仮に水が侵入したとしても水素ガス発生室４０内の水素発生剤に不用意に水を掛けることがない。また、水素ガス発生剤と反応した水が水素ガスに同伴して水素水容器内に導入されることもない。
【００６７】
また、本実施形態では、水素ガス発生室４０を構成する薬剤収容部用箱４１を、水素ガス昇圧室３０を構成するベース３とは別個に形成し、ベース３に形成した薬剤収容部装着部３７に取り付け取り外しするようにしているので、薬剤収容部４への水素発生剤４４の設置が容易となる。
【００６８】
また、水素ガス発生室４０を、薬剤収容部用箱４１とそれを覆う薬剤収容部用蓋４２とにより構成し、ベース３に形成した薬剤収容部装着部３７に取り付け取り外しすることにより、薬剤収容部用箱４１を薬剤収容部用蓋４２により密閉、すなわち、水素ガス発生室４０の密閉を実現しているので、薬剤収容部４への水素発生剤４４の設置が極めて容易となる。
【００６９】
また、本実施形態では、薬剤収容部４の薬剤収容部装着部３７の固定と固定解除をカム方式とし、固定と固定解除の操作が薬剤収容部密閉用カムハンドル５１の回転により容易に行えるようになっている。
【００７０】
また、本実施形態によれば、水素ガス発生室４０内及び水素ガス昇圧室３０内は、気密に保たれ、外気と遮断されているので、水素ガス濃度が高くても問題がなく、水素ガス濃度を７５％以上に保つことができる。これにより効果的に水素ガスを水素水容器１内の水に水素ガスのファインバブルを生成することができる。
【００７１】
また、本実施形態によれば、常圧型の水素水生成器であり、蓋２における開口面積を大きく取ることにより水素水容器１から放出される空気中水素濃度を４％以下に保つことができ、安全性向上に資することができる。
【００７２】
なお、上述の実施例では、水素の微細気泡（ファインバブル）を水中に含有させる場合について説明したが、水以外に、ジュース、お茶などの飲用液体に水素の微細気泡を含有させる場合に本発明を適用できる。この場合、多孔質板を用いた微細気泡の生成なので、逆止弁や逆止弁につながる流路などの洗浄が難しい部材がなく、水素液生成装置の使用後の洗浄が容易である。
【００７３】
また、上述の実施形態では、水素を生成するのに、水と反応して水素ガスを発生させる薬剤（例えば、微粉末状の酸化カルシウムとアルミニウムの混合物など）を用いたが、水素吸蔵金属を用いることも可能である。
【００７４】
次に、図７〜１２を用いて本発明に係る多孔質体アッセンブリを適用するファインバブル液生成装置として浴槽用微細気泡発生器の例を説明する。
【００７５】
本実施形態の浴槽用微細気泡発生器は、浴槽内のお湯に水素のファインバブルを生成させて、水素水を生成するものである。本実施形態の浴槽用微細気泡発生器は、基本的な原理は上述のファインバブル水素水生成器と同様である。従って、上述の実施例と同じ部分についての説明は省略し、異なる部分を中心に説明する。
【００７６】
本実施例の浴槽用微細気泡発生器は、上述のファインバブル水素水生成器と異なり、水素水容器を備えていない。浴槽用微細気泡発生器は浴槽中に浸漬されるものであり、浴槽自体が水素水容器に対応するものであると見ることもできる。また、水素水容器を備えていないことに基づき、多孔質板取付部を微細気泡発生器蓋として構成している。また、水素ガス昇圧室と水素ガス発生室とを連通する水素ガス導入孔の構成や、微細気泡発生器用ベースと微細気泡発生器蓋の固定構造や、密閉構造を形成するために用いるＯリングやパッキンの配置構造が上述の実施形態と異なる。以下、図面を用いてこれらを中心に本実施形態の浴槽用微細気泡発生器を詳細に説明する。
【００７７】
図７及び図１０に示すように、本実施例の浴槽用微細気泡発生器は、微細気泡発生器用ベース７１に微細気泡発生器蓋６３が取り付けられる。微細気泡発生器蓋６３には、開口部６３ａを塞ぐように、多孔質板（焼結金属板、上述した多孔質体）６４が多孔質板取付用サポート（上述した多孔質体保持部材）６４ｓを介して複数の固定ボルト６６により固定されている。複数の固定ボルト６６は図８に示すように微細気泡発生器蓋６３に形成された複数の固定ボルト装着用ねじ穴６６ａに螺合される。微細気泡発生器蓋６３と多孔質板取付用サポート６４ｓとの間にパッキン６５が設けられ、水素ガス昇圧室７０の気密を保つようにしている。
【００７８】
微細気泡発生器用ベース７１と微細気泡発生器蓋６３とは、上述のファインバブル水素水生成器と異なり、固定構造となっており、本実施形態では、微細気泡発生器用ベースと微細気泡発生器蓋の締結部６９により固定されている。締結部６９は、微細気泡発生器蓋６３に形成された微細気泡発生器蓋装着用雄ねじ６９ｍと微細気泡発生器用ベース７１に形成された微細気泡発生器蓋装着用雌ねじ６９ｆから構成されている。微細気泡発生器蓋６３には複数の微細気泡発生器蓋回転用治具挿入孔６８が形成されている。微細気泡発生器蓋回転用治具挿入孔６８に回転用治具（図示省略）を装着して操作することにより微細気泡発生器蓋６３は回転され微細気泡発生器用ベース７１に締結される。締結後、回転用治具は取り外される。締結後、必要に応じて微細気泡発生器蓋回転用治具挿入孔６８は凹凸が出ないように棒状の部材が埋め込まれる。また、微細気泡発生器用ベース７１と微細気泡発生器蓋６３とは、固定構造であるため、上述のファインバブル水素水生成器のダブルＯリングと異なり、微細気泡発生器用ベース７１と微細気泡発生器蓋６３との間にはパッキン７３が設けられ、水素ガス昇圧室７０の気密を保つようにしている。
【００７９】
微細気泡発生器用ベース７１には、密閉用蓋取付具装着部７６、薬剤収容部装着部７７、水素ガス導入管貫通孔７８が形成されている。水素ガス導入管貫通孔７８は、上述のファインバブル水素水生成器と異なり、密閉用蓋取付具装着部７６の奥に位置するように設けられている。
【００８０】
図７，図９及び図１１に示すように、微細気泡発生器用ベース７１の薬剤収容部装着部７７には薬剤収容部用箱（薬室箱）８１と薬剤収容部用蓋（薬室箱蓋）８２がスライド式で取り外し可能に装着される。薬剤収容部用箱８１と薬剤収容部用蓋８２との間にはパッキン８６が設けられ、薬剤収容部装着部７７への装着時、水素ガス発生室８０の気密を保つようになっている。薬剤収容部用箱８１には、薬剤収容部用把手８３が取り付けられ、また、水素ガス昇圧室７０と水素ガス発生室８０とを連通する水素ガス導入孔として水素ガス導入管８７が取り付けられている。水素ガス導入管８７は薬剤収容部用箱８１との間に隙間が形成されないように溶接等により固着され、水素ガス発生室８０の気密を保つようになっている。薬剤収容部用箱８１の薬剤収容部装着部７７への装着時、水素ガス導入管８７は、微細気泡発生器用ベース７１の水素ガス導入管貫通孔７８に挿入される。また、水素ガス昇圧室７０の気密を保つために、水素ガス導入管８７と水素ガス導入管貫通孔７８との間にはＯリング８５（ダブルＯリング）が設けられている。薬剤収容部用箱８１には薬剤（水素発生剤）８４が収容される。
【００８１】
図７，図９及び図１２に示すように、微細気泡発生器用ベース７１の密閉用蓋取付具装着部７６には、薬剤収容部密閉用カムハンドル９１と薬剤収容部密閉用カム９２で構成された密閉用蓋取付具が装着される。薬剤収容部密閉用カム９２はカム部９４を有し、薬剤収容部密閉用カムハンドル９１はカムハンドル固定ボルト９３により座金９５を介して薬剤収容部密閉用カム９２に固定される。
【００８２】
上述のように構成された本実施例の浴槽用微細気泡発生器における水素のファインバブルを水中に生成させる原理については上述のファインバブル水素水生成器と基本的に同様である。なお、上述のファインバブル水素水生成器では、水素水容器１内の水による水頭圧より水素ガス昇圧室３０内の圧力が高くなった段階で、水素ガスが多孔質板（焼結金属板）１４内の狭路（微細孔）を通り水素水容器１内に水素ガスが放出され、これにより水素ガスの微細気泡が水中に発生する。本実施形態では、浴槽用微細気泡発生器は浴槽内の水（湯）に浸漬されるものであり、浴槽内における深さ方向の浴槽用微細気泡発生器の位置に基づく、浴槽の水による水頭圧より水素ガス昇圧室７０内の圧力が高くなった段階で水素ガスが多孔質板（焼結金属板）６４の狭路を通り浴槽内の水中に微細気泡として発生する。また、本実施形態の浴槽用微細気泡発生器では、浴槽内に設置された際に、所定の深さの下（標準的な水位の下）では、浴槽内の水の水頭圧を受けても、ファインバブル水素水生成器と同様に、水素ガス昇圧室内に浴槽内の水が滴下することを防止する。
【００８３】
本実施例においても基本的に上述のファインバブル水素水生成器と同様の作用効果を奏することができる。なお、本実施形態では、浴槽湯面から放出される空気中水素濃度は放出面積が大きいため空気中水素濃度を４％以下に保つことができ、安全性向上に資することができる。
【実施例１】
【００８４】
以下に、上述したファインバブル水素水生成器で得られた水素水中における水素濃度およびナノバブルの粒度分布について説明する。ファインバブル水素水生成器は、図１〜６に示した構成のものとし、多孔質体アセンブリ（多孔質板１４および多孔質板取付用サポート１４ｓ）として、表１に示した構成の多孔質体および多孔質体保持部材を用いた。
【００８５】
図１８は本実施例のファインバブル水素水生成器で得られた水素水中における水素ナノバブルの粒度分布を示す。英国ナノサイト社製のナノ粒子解析装置（商品名：ＮａｎｏＳｉｇｈｔ（ナノサイト））を用いて２０回計測した平均値をグラフ化している。図１８に示すように、ナノバブルのトップピーク粒径は１４２ｎｍであり、バブル径が約４０〜５００ｎｍの範囲に存在するナノバブル総数は約２５００万個／ｍｌであった。このように本実施例のファインバブル水素水生成器によれば、多数の水素ナノバブルが水中に形成されていた。
【００８６】
図１９は本実施例のファインバブル水素水生成器で得られた水素水の水素濃度の時間変化を示す。Ｕｎｉｓｅｎｓｅ社製のマイクロセンサーモノメータ（ＭＯＮＯＭＥＴＥＲ  Ｈ２  センサー）を用いて計測した。水素ガス発生終了後（反応開始から１０分経過後）、水素水容器本体から水素水を採取し、６０分間の水素濃度変化を測定した。図１９に示すように、測定開始直後の水素濃度は３．０２ｐｐｍであり、時間の経過と共に水素濃度は低下するが、１時間経過しても１．５ｐｐｍ以上と高濃度を維持していた。
【００８７】
以上のように、本発明に係る多孔質体アッセンブリは、多孔質体と多孔質体保持部材の接合性が高く、両者の間に間隙が生じないため、ナノバブルが均一かつ大量に発生可能であることが確認された。さらに、溶存水素濃度がナノバブル生成後１時間経過しても１．５ｐｐｍ以上と高濃度であることを確認することができた。
【００８８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【００８９】
例えば、可能性は小さいが水素ガス発生室から気化したアルミニウムが水素ガス昇圧室に放出される場合、気化したアルミニウムが多孔質板（焼結金属板）に付着しないようにフィルターを水素ガス流路（水素ガス導入管の出口部）に設けるようにしても良い。また、本発明は焼結金属板を二重構成とすることも排除するものではない。例えば、液体と接する側にステンレスの焼結金属板を配して、水素ガス発生室内側にステンレスまたは銅合金の焼結金属板を配することも本発明の範囲内である。
【符号の説明】
【００９０】
１…水素水容器、２…蓋、３…ベース、４…薬剤収容部（薬室）、５…密閉用蓋取付具、１０…水素水生成室（水素水収容部）、１１…水素水容器本体、１２…水素水容器用把手、１３…多孔質板（焼結金属板）取付部、１３ａ…開口部、１４，３０１，４００…多孔質体、（多孔質板、焼結金属板）、１４ｓ，３０２ａ，３０２ｂ，３０２ｃ…多孔質体保持部材（多孔質板取付用サポート、フレーム）、１５…パッキン、１６…固定ボルト、１７ａ…給水ノズル、１７ｂ…給水レバー、１７ｃ…プラグ、１７ｄ…圧縮ばね、１７ｅ…弁体、１７ｆ…弁体収容部、１８…挿入部、１９…位置決め用突起、２１…蓋用把手、２２…蓋本体、２３…スペーサ、２４…挿入部、３０…水素ガス昇圧室、３１…ベース本体、３３…Ｏリング、３５…水素ガス流路構成部、３５ａ，３５ｂ，３５ｃ…水素ガス流路、３６…密閉用蓋取付具装着部、３７…薬剤収容部装着部、３８…位置決め用凹部、３９…ベース開口部、４０…水素ガス発生室、４１…薬剤収容部用箱（薬室箱）、４２…薬剤収容部用蓋（薬室箱蓋）、４３…薬剤収容部用把手、４４…薬剤（水素発生剤）、４５…Ｏリング、４６…水素ガス導入孔、５１…薬剤収容部密閉用カムハンドル、５２…薬剤収容部密閉用カム、５３…カムハンドル固定ボルト、５４…カム部、５５…座金、６３…微細気泡発生器蓋、６３ａ…開口部、６４…多孔質板（焼結金属板）、６４ｓ…多孔質板取付用サポート、６５…パッキン、６６…固定ボルト、６６ａ…固定ボルト装着用ねじ穴、６８…微細気泡発生器蓋回転用治具挿入孔、６９…微細気泡発生器用ベースと微細気泡発生器蓋の締結部、６９ｍ…微細気泡発生器蓋装着用雄ねじ、６９ｆ…微細気泡発生器蓋装着用雌ねじ、７０…水素ガス昇圧室、７１…微細気泡発生器用ベース、７３…パッキン、７６…密閉用蓋取付具装着部、７７…薬剤収容部装着部、７８…水素ガス導入管貫通孔、８０…水素ガス発生室、８１…薬剤収容部用箱（薬室箱）、８２…薬剤収容部用蓋（薬室箱蓋）、８３…薬剤収容部用把手、８４…薬剤（水素発生剤）、８５…Ｏリング、８６…パッキン、８７…水素ガス導入管、９１…薬剤収容部密閉用カムハンドル、９２…薬剤収容部密閉用カム、９３…カムハンドル固定ボルト、９４…カム部、９５…座金、３００，３００ａ，３００ｃ…多孔質体アッセンブリ、３０３ａ，３０３ｂ，３０３ｃ…溝、３０６ａ…接触面に形成されたＮｉを主成分とする層、３０５…ろう材、３０６ｂ…接触面以外の多孔質体保持部材の表面に形成されたＮｉを主成分とする層、４０１…多孔質体４００の液体に接触する面、４０２…多孔質体４００のガスが供給される面、４０３…液体、４０４…ガス、４０５…微細気泡（ファインバブル）。
【要約】
【課題】
有機性の接着剤を含まず、多孔質体と多孔質体保持部材との接合性が高く、ファインバブル液を生成することが可能な多孔質体アッセンブリおよびその製造方法を提供する。
【解決手段】
ステンレス鋼の焼結金属からなる前孔質体３０１と、ステンレス鋼からなり、多孔質体３０１を保持する多孔質体保持部材３０２ａと、多孔質体３０１が多孔質体保持部材３０２ａに保持されることにより多孔質体３０１の表面の一部分に形成された多孔質体３０１と多孔質体保持部材３０２ａとの接触面３０６ａと、多孔質体３０１の表面の上記一部分以外の他の一部分と多孔質体保持部材３０２ａとの間に形成される溝３０３ａと、を有し、上記接触面３０６ａはニッケルを主成分とする層３０５を有することを特徴とする。
【選択図】  図１３【図１】
0005947436.tif 000003
【図２】
0005947436.tif 000004
【図３】
0005947436.tif 000005
【図４】
0005947436.tif 000006
【図５】
0005947436.tif 000007
【図６】
0005947436.tif 000008
【図７】
0005947436.tif 000009
【図８】
0005947436.tif 000010
【図９】
0005947436.tif 000011
【図１０】
0005947436.tif 000012
【図１１】
0005947436.tif 000013
【図１２】
0005947436.tif 000014
【図１３】
0005947436.tif 000015
【図１４】
0005947436.tif 000016
【図１５】
0005947436.tif 000017
【図１６】
0005947436.tif 000018
【図１７】
0005947436.tif 000019
【図１８】
0005947436.tif 000020
【図１９】
0005947436.tif 000021
【図２０Ａ】
0005947436.tif 000022
【図２０Ｂ】
0005947436.tif 000023